(57)【要約】【課題】ディスクの搬送時における摺動抵抗を小さく維持してディスク搬送の安定化を図るディスク搬送機構を提供する。【解決手段】ディスクガイド３の両端部には搬送ローラ５側（矢印Ｚ２方向）に向けて突出する一対の突起部９が形成されている。各突起部９は、ディスクガイド３と搬送ローラ５との間に挟持されて搬送されるディスクＤの搬送ずれを修正するガイド面９ａを有している。ガイド面９ａは、搬送ローラ５側（矢印Ｚ２方向）に近づくにしたがってディスクＤの外周端面から離遠するように傾斜している。ガイド面９ａの傾斜角θは、基準面Ｆに対して２０°以上に設定されている。【選択図】        図３
2005004841.tif 000002
【特許請求の範囲】
【請求項１】
ディスク状記録媒体の搬送を案内する板状のガイド手段と、該ガイド手段により案内された前記ディスク状記録媒体に対して搬送駆動力を与える搬送手段と、該搬送手段を前記ガイド手段側に付勢して前記搬送手段と前記ガイド手段との間に前記ディスク状記録媒体を挟持するための付勢手段と、前記ガイド手段に前記搬送手段側に向けて形成されかつ前記ディスク状記録媒体の搬送ずれを修正する突起部とを備え、該突起部は、前記ガイド手段と前記搬送手段との間に挟持された前記ディスク状記録媒体の外周端面の一外周縁部に接触し、かつ前記搬送手段側に近づくにしたがって、前記ディスク状記録媒体の外周端面から離遠するように傾斜するガイド面を備えたことを特徴とするディスク搬送機構。
【請求項２】
突起部のガイド面は、ディスク状記録媒体の中心軸とディスク搬送手段による前記ディスク状記録媒体の搬送方向の中心軸とから形成される基準面に対して２０°以上の傾斜角を有することを特徴とする請求項１記載のディスク搬送機構。
【発明の詳細な説明】
【０００１】
【発明の属する技術分野】
この発明は、例えばコンパクトディスク（ＣＤ）やデジタルバーサタイルディスク（ＤＶＤ）等のディスク状記録媒体（以下、ディスクという）への情報の記録または記録情報の再生を行うディスク記録再生装置への適用が可能なディスク搬送機構に関するものである。
【０００２】
【従来の技術】
特許文献１は、従来のディスク搬送機構を開示している。このディスク搬送機構は、ディスクの搬送を案内する板状のディスクガイドと、このディスクガイドにより案内されたディスクに対して搬送駆動力を与える搬送ローラと、この搬送ローラをディスクガイド側に付勢して搬送ローラとディスクガイドとの間にディスクを挟持するための弾性スプリングと、ディスクガイドの搬送ローラに対向する位置に搬送ローラに向けて形成されかつディスクの搬送ずれを修正する突起部とから概略構成されている。
【０００３】
【特許文献１】
特開２０００−５７６６５号公報
【０００４】
【発明が解決しようとする課題】
しかし、従来のディスク搬送機構は上述のような構成を有しているので、以下のような課題があった。すなわち、従来のディスク搬送機構においては、突起部のガイド面がディスクの外周端面と面接触しているため、摺動面積が大きく、特にディスクが搬送方向の側方へずれて搬送される場合には摺動抵抗が大きくなるという課題があった。また、２枚のディスクを接着剤で貼り合わせてなるＤＶＤを搬送する場合には、ＤＶＤの外周端面の貼り合わせ部分から接着剤がはみ出すことがあり、高温雰囲気において接着剤が軟化すると、その接着剤によりＤＶＤの外周端面と突起部のガイド面との間の摺動抵抗が極端に増大することがあるという課題があった。
【０００５】
この発明は上記のような課題を解決するためになされたもので、ディスクの搬送時における摺動抵抗を小さく維持してディスク搬送の安定化を図るディスク搬送機構を得ることを目的とする。
【０００６】
【課題を解決するための手段】
この発明に係るディスク搬送機構は、ディスクの搬送を案内する板状のガイド手段と、該ガイド手段により案内された前記ディスクに対して搬送駆動力を与える搬送手段と、該搬送手段を前記ガイド手段側に付勢して前記搬送手段と前記ガイド手段との間に前記ディスクを挟持する付勢手段と、前記ガイド手段に前記搬送手段側に向けて形成されかつ前記ディスクの搬送ずれを修正する突起部とを備え、該突起部に、前記ガイド手段と前記搬送手段との間に挟持された前記ディスクの外周端面の一外周縁部に接触しかつ前記搬送手段側に近づくにしたがって、前記ディスクの外周端面から離遠するように傾斜するガイド面を備えるように構成したものである。
【０００７】
【発明の実施の形態】
以下、この発明の実施の一形態を説明する。
実施の形態１．
図１はこの発明の実施の形態１によるディスク搬送機構の構成を搬送ローラ側から見た底面図であり、図２は図１に示したディスク搬送機構においてディスクの搬送ずれを示す拡大底面図であり、図３は図１のＩＩＩ−ＩＩＩ線断面図であり、図４は図３の要部Ｓを拡大した断面図であり、図５は図１のＶ−Ｖ線断面図であり、図６は図１のＶＩ−ＶＩ線断面図である。
【０００８】
ディスク搬送機構１は、ディスクＤを搬送経路に沿って案内するディスクガイド（ガイド手段）３と、このディスクガイド３により案内されたディスクＤに対して矢印Ｙ１方向または矢印Ｙ２方向への搬送駆動力を与える一対の搬送ローラ（搬送手段）５と、これら一対の搬送ローラ５をディスクガイド３側（矢印Ｚ１方向）に付勢して搬送ローラ５とディスクガイド３との間にディスクＤを挟持するためのコイルスプリング（付勢手段）７とから概略構成されている。
【０００９】
ディスクガイド３は樹脂一体成形された略板状の部材であり、図１および図２に示すように、ディスクＤの搬送経路の中心軸Ｐ１を基準として矢印Ｘ１方向および矢印Ｘ２方向に向けて対称形状である。ディスクガイド３の矢印Ｘ１方向および矢印Ｘ２方向の両端部には、搬送ローラ５側（矢印Ｚ２方向）に向けて突出する一対の突起部９が形成されている。各突起部９は、ディスクガイド３と搬送ローラ５との間に挟持されて搬送されるディスクＤの搬送ずれを修正するガイド面９ａを有している。
【００１０】
この実施の形態１におけるガイド面９ａは、搬送ローラ５側（矢印Ｚ２方向）に近づくにしたがってディスクＤの外周端面から離遠するように傾斜している。ガイド面９ａの傾斜角θは、搬送経路の中心軸Ｐ１と搬送中のディスクＤの中心軸Ｐ２とから形成される基準面Ｆに対して２０°以上に設定されている。傾斜角θが２０°未満であれば、ディスクＤの外周端面と突起部９のガイド面９ａとが実質的に面接触し易くなり、摺動抵抗の低減を図ることが困難となる。これに対し、傾斜角θが２０°以上であれば、ディスクＤの外周端面の一外周縁部のみがガイド面９ａに接触することになり、突起部のガイド面がディスクの外周端面と面接触していた従来のディスク搬送機構に比べて摺動抵抗を格段に小さくすることが可能である。特に、ディスクＤがＤＶＤである場合には、ＤＶＤの外周端面の貼り合わせ部分からはみ出した接着剤が高温雰囲気において軟化しても、その接着剤がガイド面９ａに接触することを回避できるので、接着剤による摺動抵抗の増大を確実に回避してＤＶＤ搬送の安定化を図ることが可能である。
【００１１】
なお、傾斜角θの上限は、傾斜角θが大きすぎると搬送中のディスクＤの外周端面の一外周縁部がガイド面９ａ上を滑り、ディスクＤが搬送経路を矢印Ｘ１方向または矢印Ｘ２方向へ逸脱してしまう可能性があるため、ガイド面９ａがディスクＤの搬送ずれを修正するのに十分なガイド面９ａとディスクＤの外周端面の一外周縁部との摺動抵抗が得られるか否かを基準にして、ディスクＤの厚さ、ディスクＤやガイド面９ａを構成する材料等の種々のファクタに応じて適宜決められる。
【００１２】
また、図６に示すように、ディスクガイド３には、搬送ローラ５側に対向する位置に一対の搬送ローラ５の長さ方向（矢印Ｘ１方向および矢印Ｘ２方向）に沿って凹部１１が形成されている。凹部１１は、ディスクＤが搬送されていないときに、コイルスプリング７の付勢力により搬送ローラ５が付勢されて収納される空間を提供するものである。さらに、ディスクガイド３には、凹部１１から矢印Ｙ１方向に向けて徐々に板厚を薄くした傾斜ガイド部１３が形成されると共に、凹部１１から矢印Ｙ２方向に向けて徐々に板厚を薄くした傾斜ガイド部１５が形成されている。
【００１３】
さらに、ディスクガイド３および搬送ローラ５の下側には、ディスクＤの挿入または排出を行うための挿排スロット（図示せず）が設けられ、その挿排スロット（図示せず）の近傍には搬送ローラ５に対して回転駆動力を与える搬送駆動モータ（図示せず）が設けられ、搬送ローラ５と挿排スロット（図示せず）との間にはディスクＤの挿入を検知する挿入検知手段（図示せず）が設けられている。また、ディスクガイド３および搬送ローラ５の上側には、挿排スロット（図示せず）から挿入され、搬送ローラ５の搬送駆動力によりディスクガイド３に沿って搬送されたディスクＤを回転するターンテーブル（図示せず）やディスクＤに対して記録の再生を行う光ピックアップ（図示せず）等を搭載した再生ベース（図示せず）が設けられている。
【００１４】
次に動作について説明する。
まず、ディスクＤの矢印Ｙ１方向の先端となる外周端面が挿排スロット（図示せず）から挿入されると、挿入検知手段（図示せず）によりディスクＤの挿入動作が検知され、この検知情報に基づくコントロールユニット（図示せず）からの指令により搬送駆動モータ（図示せず）が駆動され、搬送ローラ５が図６に示すように矢印Ｒ１方向に回転駆動する。次に、ディスクＤの矢印Ｙ１方向の先端となる外周端面がディスクガイド３と搬送ローラ５との間に挟持された時点で、搬送ローラ５からディスクＤに対して矢印Ｙ１方向への搬送駆動力が与えられる。これにより、ディスクＤは、図１において破線Ｄ１、一点鎖線Ｄ２および二点鎖線Ｄ３で示された軌跡を辿りながら、徐々に矢印Ｙ１方向に搬送される。
【００１５】
このとき、ディスクガイド３のうち、矢印Ｘ１方向の傾斜ガイド部１３および１５と搬送ローラ５との間に挟持された部分のディスクＤの外周端面をＥ１とし、矢印Ｘ２方向の傾斜ガイド部１３および１５と搬送ローラ５との間に挟持された部分のディスクＤの外周端面をＥ２とし、ディスクＤの外周端面Ｅ１とＥ２との離間寸法をＬ１とすると、ディスクＤの搬送過程が進むにつれて、離間寸法Ｌ１がディスクＤの直径Ｌ２まで徐々に増加していき、離間寸法Ｌ１がディスクＤの直径Ｌ２に一致した後には、徐々に減少していく。
【００１６】
ところが、ディスクＤの矢印Ｙ１方向の先端となる外周端面が搬送経路の中心軸Ｐ１から矢印Ｘ１方向（または矢印Ｘ２方向）に大きくずれて挿入されると、図２に示すように、ディスクＤは、ディスクガイド３の突起部９に当接するため、本来の搬送経路からずれて、破線Ｄ４（または破線Ｄ７）、一点鎖線Ｄ５（または一点鎖線Ｄ８）および二点鎖線Ｄ６（または二点鎖線Ｄ９）で示された軌跡を辿りながら、徐々に矢印Ｙ１方向に搬送される。このとき、ディスクガイド３の突起部９に形成されたガイド面９ａは、上記基準面Ｆに対して矢印Ｚ２方向に向かうにつれて離遠するように傾斜しているので、図３の破線Ｄ１０で示すように、ディスクＤの外周端面はガイド面９ａと面接触せず、ディスクＤの外周縁部のみが点接触して摺動する。これにより、ディスクＤの摺動抵抗の増大を回避することが可能である。
【００１７】
なお、ディスクＤの排出時に搬送ずれが発生した場合でも、上記と同様にしてディスクＤの摺動抵抗の増大を回避することが可能である。
【００１８】
以上のように、この実施の形態１によれば、ディスクガイド３の両端部に設けた突起部９に搬送ローラ５側（矢印Ｚ２方向）に近づくにしたがってディスクＤの外周端面から離遠するように傾斜するガイド面９ａを設けるように構成したので、ディスクＤの搬送ずれが発生しても、ディスクＤの外周縁部のみに点接触することでディスクＤの摺動抵抗の増大を確実に回避することができるという効果がある。特に、ディスクＤがＤＶＤである場合には、ＤＶＤの外周端面の貼り合わせ部分からはみ出した接着剤が高温雰囲気において軟化しても、その接着剤によりＤＶＤの外周端面と突起部のガイド面との間に従来発生していた摺動抵抗の増大を確実に回避してＤＶＤ搬送の安定化を図ることができるという効果がある。
【００１９】
この実施の形態１によれば、ガイド面９ａの傾斜角θを基準面Ｆに対して２０°以上に設定するように構成したので、ディスクＤの搬送ずれが発生しても、ディスクＤの外周端面の一外周縁部のみがガイド面９ａに接触することになり、突起部のガイド面がディスクの外周端面と面接触していた従来のディスク搬送機構に比べて摺動抵抗を格段に小さくすることができるという効果がある。
【００２０】
【発明の効果】
以上のように、この発明によれば、ディスクの搬送を案内する板状のガイド手段と、該ガイド手段により案内された前記ディスクに対して搬送駆動力を与える搬送手段と、該搬送手段を前記ガイド手段側に付勢して前記搬送手段と前記ガイド手段との間に前記ディスクを挟持する付勢手段と、前記ガイド手段に前記搬送手段側に向けて形成されかつ前記ディスクの搬送ずれを修正する突起部とを備え、該突起部に、前記ガイド手段と前記搬送手段との間に挟持された前記ディスクの外周端面の一外周縁部に接触しかつ前記搬送手段側に近づくにしたがって、前記ディスクの外周端面から離遠するように傾斜するガイド面を備えるように構成したので、ディスクが搬送方向の側方へずれて搬送されても、ガイド面に対するディスクの摺動面積を小さく維持して摺動抵抗を小さくすることができ、ディスク搬送の安定化を図ることができるという効果がある。また、ディスクの外周端面の一外周縁部のみを突起部のガイド面に当接させることができるので、例えば２枚のディスクを接着剤で貼り合わせてなるＤＶＤを搬送する場合に、ＤＶＤの外周端面の貼り合わせ部分からはみ出した接着剤が高温雰囲気において軟化しても、その接着剤によりＤＶＤの外周端面と突起部のガイド面との間に従来発生していた摺動抵抗の増大を確実に回避してＤＶＤ搬送の安定化を図ることができるという効果がある。
【図面の簡単な説明】
【図１】この発明の実施の形態１によるディスク搬送機構の構成を搬送ローラ側から見た底面図である。
【図２】図１に示したディスク搬送機構においてディスクの搬送ずれを示す拡大底面図である。
【図３】図１のＩＩＩ−ＩＩＩ線断面図である。
【図４】図３の要部Ｓを拡大した断面図である。
【図５】図１のＶ−Ｖ線断面図である。
【図６】図１のＶＩ−ＶＩ線断面図である。
【符号の説明】
１  ディスク搬送機構、３  ディスクガイド（ガイド手段）、５  搬送ローラ（搬送手段）、７  コイルスプリング（付勢手段）、９  突起部、１１  凹部、１３  傾斜ガイド部、１５  傾斜ガイド部、Ｆ  基準面、Ｐ１  ディスクの中心軸、Ｐ２  搬送経路の中心軸。
【図１】
2005004841.tif 000003
【図２】
2005004841.tif 000004
【図３】
2005004841.tif 000005
【図４】
2005004841.tif 000006
【図５】
2005004841.tif 000007
【図６】
2005004841.tif 000008